【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
第１及び第２のサーバ間を接続するネットワークスイッチ装置であって、
前記第１又は第２のサーバの何れか一方に接続される複数のポートと、
前記第２のサーバに構築される移送先仮想サーバを移送元の前記第１のサーバとして使用するためのサーバ移送処理のときに、前記複数のポートに指定される設定情報に基づいて、前記複数のポートの設定を変更する一括設定変更部と、
前記第１及び第２のサーバのネットワークアドレスを仮想化する仮想アドレスに基づいて、入力されたパケットの経路を制御する仮想化経路制御機構部と、
前記ポートのポート番号、前記仮想アドレス、及び仮想化されていない物理アドレスを有する宛先テーブルと
を備え、
前記仮想化経路制御機構部は、
前記ネットワークスイッチ装置内に入力されたパケット内の宛先アドレスが、前記宛先テーブルが有する仮想アドレスに該当するか否かを検索し、
前記検索で該当する場合、前記該当する仮想アドレスのポート番号のポートに、前記入力されたパケットを出力する
ことを特徴とするネットワークスイッチ装置。
【請求項２】
前記ポートのポート番号と、前記仮想アドレスと、前記パケットに含まれる送信先アドレスを書き換える条件である出力書き換えルールとを有する宛先テーブルとを備え、
前記仮想化経路制御機構部は、前記宛先テーブルに基づいて前記パケットに含まれる送信先アドレスを書き換える
ことを特徴とする請求項１に記載のネットワークスイッチ装置。
【請求項３】
前記第１及び第２のサーバの何れかに接続される複数のポートと、
前記ポートのポート番号と、前記仮想アドレスと、前記パケットに含まれる送信元アドレスを書き換える条件である入力書き換えルールとを有する宛先テーブルを備え、
前記仮想化経路制御機構部は、前記宛先テーブルに基づいて前記パケットに含まれる送信元のネットワークアドレスを書き換える
ことを特徴とする請求項１に記載のネットワークスイッチ装置。
【請求項４】
複数の仮想サーバを構築可能なサーバ仮想化機構部を有する第１及び第２のサーバと、
前記第１及び第２のサーバ間を接続し、前記第１及び第２のサーバの何れかに接続される複数のポートを有するネットワークスイッチ装置と、
前記ネットワークスイッチ装置に接続し、前記第２のサーバに構築される移送先仮想サーバを移送元の前記第１のサーバとして使用するためのサーバ移送処理を管理する管理サーバとを備え、
前記管理サーバは、前記サーバ移送処理のときに、前記複数のポートに指定する設定情報を前記ネットワークスイッチ装置に送信する移送機構部を有し、
前記ネットワークスイッチ装置は、送信された前記複数のポートの設定情報に基づいて、前記複数のポートの設定を変更する一括設定変更部を有し、
前記第２のサーバのサーバ仮想化機構部は、前記複数の仮想サーバ間を接続可能な仮想ネットワークスイッチを有し、
前記仮想ネットワークスイッチは、前記第２のサーバ又は前記移送先仮想サーバの何れか一方に接続される複数の仮想ポートを有し、
前記移送機構部は、前記サーバ移送処理のときに、前記複数の仮想ポートに指定する設定情報を前記仮想ネットワークスイッチに送信し、
前記仮想ネットワークスイッチは、送信された前記複数の仮想ポートの設定情報に基づいて、前記複数のポートの設定を変更し、
前記管理サーバは、前記移送先仮想サーバの構築に必要な資源に対する要件を記憶する予約表を有し、
前記移送機構部は、前記予約表を指定して前記移送先仮想サーバの構築を前記第２のサーバのサーバ仮想化機構部に要求し、
前記第２のサーバのサーバ仮想化機構部は、指定された予約表に基づいて、前記サーバ移送処理中に前記移送先仮想サーバを構築するために必要な前記第２のサーバが有する資源を予約する予約機構部を有し、
前記予約機構部は、前記移送先仮想サーバを構築するために必要な資源の中に予約不能な資源があるときに、予約した資源を解放する予約解除部を有する
ことを特徴とするサーバシステム。
【請求項５】
複数の仮想サーバを構築可能なサーバ仮想化機構部を有する第１及び第２のサーバと、
前記第１及び第２のサーバ間を接続し、前記第１及び第２のサーバの何れかに接続される複数のポートを有するネットワークスイッチ装置と、
前記ネットワークスイッチ装置に接続し、前記第２のサーバに構築される移送先仮想サーバを移送元の前記第１のサーバとして使用するためのサーバ移送処理を管理する管理サーバとを備え、
前記管理サーバは、前記サーバ移送処理のときに、前記複数のポートに指定する設定情報を前記ネットワークスイッチ装置に送信する移送機構部を有し、
前記ネットワークスイッチ装置は、送信された前記複数のポートの設定情報に基づいて、前記複数のポートの設定を変更する一括設定変更部を有し、
前記第２のサーバのサーバ仮想化機構部は、前記複数の仮想サーバ間を接続可能な仮想ネットワークスイッチを有し、
前記仮想ネットワークスイッチは、前記第２のサーバ又は前記移送先仮想サーバの何れか一方に接続される複数の仮想ポートを有し、
前記移送機構部は、前記サーバ移送処理のときに、前記複数の仮想ポートに指定する設定情報を前記仮想ネットワークスイッチに送信し、
前記仮想ネットワークスイッチは、送信された前記複数の仮想ポートの設定情報に基づいて、前記複数のポートの設定を変更し、
前記管理サーバは、前記移送先仮想サーバの構築に必要な資源に対する要件を記憶する予約表を有し、
前記移送機構部は、前記予約表を指定して前記移送先仮想サーバの構築を前記第２のサーバのサーバ仮想化機構部に要求し、
前記第２のサーバのサーバ仮想化機構部は、指定された予約表に基づいて、前記サーバ移送処理中に前記移送先仮想サーバを構築するために必要な前記第２のサーバが有する資源を予約する予約機構部を有し、
前記移送機構部は、前記サーバ仮想化機構部と通信して前記第２のサーバに前記移送先仮想サーバ以外の仮想サーバが構築されているか否かを判定し、
前記予約機構部は、前記移送先仮想サーバ以外に仮想サーバが構築されていないときに、前記サーバ移送処理中に前記移送先仮想サーバを構築するために必要な前記第２のサーバが有する資源を占有して予約する
ことを特徴とするサーバシステム。
【請求項６】
複数の仮想サーバを構築可能なサーバ仮想化機構部を有する第１及び第２のサーバと、
前記第１及び第２のサーバ間を接続し、前記第１及び第２のサーバの何れかに接続される複数のポートを有するネットワークスイッチ装置と、
前記ネットワークスイッチ装置に接続し、前記第２のサーバに構築される移送先仮想サーバを移送元の前記第１のサーバとして使用するためのサーバ移送処理を管理する管理サーバとを備え、
前記管理サーバは、前記サーバ移送処理のときに、前記複数のポートに指定する設定情報を前記ネットワークスイッチ装置に送信する移送機構部を有し、
前記ネットワークスイッチ装置は、送信された前記複数のポートの設定情報に基づいて、前記複数のポートの設定を変更する一括設定変更部を有し、
前記第２のサーバのサーバ仮想化機構部は、前記複数の仮想サーバ間を接続可能な仮想ネットワークスイッチを有し、
前記仮想ネットワークスイッチは、前記第２のサーバ又は前記移送先仮想サーバの何れか一方に接続される複数の仮想ポートを有し、
前記移送機構部は、前記サーバ移送処理のときに、前記複数の仮想ポートに指定する設定情報を前記仮想ネットワークスイッチに送信し、
前記仮想ネットワークスイッチは、送信された前記複数の仮想ポートの設定情報に基づいて、前記複数のポートの設定を変更し、
前記管理サーバは、前記移送先仮想サーバの構築に必要な資源に対する要件を記憶する予約表を有し、
前記移送機構部は、前記予約表を指定して前記移送先仮想サーバの構築を前記第２のサーバのサーバ仮想化機構部に要求し、
前記第２のサーバのサーバ仮想化機構部は、指定された予約表に基づいて、前記サーバ移送処理中に前記移送先仮想サーバを構築するために必要な前記第２のサーバが有する資源を予約する予約機構部を有し、
前記第２のサーバのサーバ仮想化機構部は、前記移送先仮想サーバが有する仮想ネットワークインタフェースを介して物理ネットワークインタフェースに直接アクセス可能なアクセス機能を有し、
予約機構部は、前記移送先仮想サーバに割り当て可能な物理ネットワークインタフェースの資源があるか否かを判定し、前記割り当て可能な物理ネットワークインタフェースの資源があるときに、前記アクセス機能により前記割り当て可能な物理ネットワークインタフェースを占有して予約する
ことを特徴とするサーバシステム。
【請求項７】
前記割り当て可能な物理ネットワークインタフェースの資源がないときに、仮想ネットワークインタフェースを予約する
ことを特徴とする請求項６に記載のサーバシステム。
【請求項８】
複数の仮想サーバを構築可能なサーバ仮想化機構部を有する第１及び第２のサーバと、
前記第１及び第２のサーバ間を接続し、前記第１及び第２のサーバの何れかに接続される複数のポートを有するネットワークスイッチ装置と、
前記ネットワークスイッチ装置に接続し、前記第２のサーバに構築される移送先仮想サーバを移送元の前記第１のサーバとして使用するためのサーバ移送処理を管理する管理サーバとを備え、
前記管理サーバは、前記サーバ移送処理のときに、前記複数のポートに指定する設定情報を前記ネットワークスイッチ装置に送信する移送機構部を有し、
前記ネットワークスイッチ装置は、送信された前記複数のポートの設定情報に基づいて、前記複数のポートの設定を変更する一括設定変更部を有し、
前記第２のサーバのサーバ仮想化機構部は、前記複数の仮想サーバ間を接続可能な仮想ネットワークスイッチを有し、
前記仮想ネットワークスイッチは、前記第２のサーバ又は前記移送先仮想サーバの何れか一方に接続される複数の仮想ポートを有し、
前記移送機構部は、前記サーバ移送処理のときに、前記複数の仮想ポートに指定する設定情報を前記仮想ネットワークスイッチに送信し、
前記仮想ネットワークスイッチは、送信された前記複数の仮想ポートの設定情報に基づいて、前記複数のポートの設定を変更し、
前記移送機構部は、前記ネットワークスイッチ装置と前記仮想ネットワークスイッチとの間の設定に関する設定情報を有するスイッチ間設定ルールを有し、前記スイッチ間設定ルールに基づいて、前記サーバ移送処理のときに、前記第２のサーバが接続する前記ポートに指定する設定情報と、前記仮想移送サーバが接続する前記仮想ポートに指定する設定情報とを決定し、
前記第１のサーバのサーバ仮想化機構は、前記複数の仮想サーバ間を接続可能な第２の仮想ネットワークスイッチを有し、
前記第２の仮想ネットワークスイッチは、前記第１のサーバ及び前記仮想サーバの何れかに接続される複数の第２の仮想ポートを有し、
前記スイッチ間設定ルールは、前記ネットワークスイッチ装置と前記第２の仮想ネットワークスイッチとの間の設定情報を有し、
前記移送機構部は、前記スイッチ間設定ルールに基づいて、前記サーバ移送処理のときに、前記第１のサーバが接続する前記ポートに指定する設定情報と、前記第２の仮想移送サーバが接続する前記第２の仮想ポートに指定する設定情報とを決定する
ことを特徴とするサーバシステム。
【請求項９】
複数の仮想サーバを構築可能なサーバ仮想化機構部を有する第１及び第２のサーバと、前記第１及び第２のサーバ間を接続し、前記第１及び第２のサーバの何れか一方に接続される複数のポートを有するネットワークスイッチ装置と、前記ネットーワークスイッチ装置に接続し、前記第２のサーバに構築される移送先仮想サーバを移送元の前記第１のサーバとして使用するためのサーバ移送処理を管理する管理サーバとを備えるサーバシステムにおけるサーバ移送方法であって、
前記管理サーバは、前記サーバ移送処理のときに、前記複数のポートに指定する設定情報を前記ネットワークスイッチ装置に送信するステップと、
送信された前記複数のポートの設定情報に基づいて、前記複数のポートの設定を変更するステップとを備え、
前記第２のサーバのサーバ仮想化機構は、前記複数の仮想サーバ間を接続可能な仮想ネットワークスイッチを有し、
前記仮想ネットワークスイッチは、前記第２のサーバ及び前記移送先仮想サーバの何れかに接続される複数の仮想ポートを有し、
前記サーバ移送処理のときに、前記複数の仮想ポートに指定する設定情報を前記仮想ネットワークスイッチに送信するステップと、
送信された前記複数の仮想ポートの設定情報に基づいて、前記複数のポートの設定を変更するステップとを含み、
前記管理サーバは、前記移送先仮想サーバの構築に必要な資源に対する要件を記憶する予約表を有し、
前記予約表を指定して前記移送先仮想サーバの構築を前記第２のサーバのサーバ仮想化機構部に要求するステップと、
指定された予約表に基づいて、前記サーバ移送処理中に前記移送先仮想サーバを構築するために必要な前記第２のサーバが有する資源を予約するステップとを含み、
前記移送先仮想サーバを構築するために必要な資源の中に予約不能な資源があるときに、予約した資源を解放するステップを含む
ことを特徴とするサーバシステムにおけるサーバ移送方法。
【請求項１０】
複数の仮想サーバを構築可能なサーバ仮想化機構部を有する第１及び第２のサーバと、前記第１及び第２のサーバ間を接続し、前記第１及び第２のサーバの何れか一方に接続される複数のポートを有するネットワークスイッチ装置と、前記ネットーワークスイッチ装置に接続し、前記第２のサーバに構築される移送先仮想サーバを移送元の前記第１のサーバとして使用するためのサーバ移送処理を管理する管理サーバとを備えるサーバシステムにおけるサーバ移送方法であって、
前記管理サーバは、前記サーバ移送処理のときに、前記複数のポートに指定する設定情報を前記ネットワークスイッチ装置に送信するステップと、
送信された前記複数のポートの設定情報に基づいて、前記複数のポートの設定を変更するステップとを備え、
前記第２のサーバのサーバ仮想化機構は、前記複数の仮想サーバ間を接続可能な仮想ネットワークスイッチを有し、
前記仮想ネットワークスイッチは、前記第２のサーバ及び前記移送先仮想サーバの何れかに接続される複数の仮想ポートを有し、
前記サーバ移送処理のときに、前記複数の仮想ポートに指定する設定情報を前記仮想ネットワークスイッチに送信するステップと、
送信された前記複数の仮想ポートの設定情報に基づいて、前記複数のポートの設定を変更するステップとを含み、
前記管理サーバは、前記移送先仮想サーバの構築に必要な資源に対する要件を記憶する予約表を有し、
前記予約表を指定して前記移送先仮想サーバの構築を前記第２のサーバのサーバ仮想化機構部に要求するステップと、
指定された予約表に基づいて、前記サーバ移送処理中に前記移送先仮想サーバを構築するために必要な前記第２のサーバが有する資源を予約するステップとを含み、
前記サーバ仮想化機構部と通信して前記第２のサーバに前記移送先仮想サーバ以外の仮想サーバが構築されているか否かを判定するステップと、
前記移送先仮想サーバ以外に仮想サーバが構築されていないときに、前記サーバ移送処理中に前記移送先仮想サーバを構築するために必要な前記第２のサーバが有する資源を占有して予約するステップを含む
ことを特徴とするサーバシステムにおけるサーバ移送方法。
【請求項１１】
複数の仮想サーバを構築可能なサーバ仮想化機構部を有する第１及び第２のサーバと、前記第１及び第２のサーバ間を接続し、前記第１及び第２のサーバの何れか一方に接続される複数のポートを有するネットワークスイッチ装置と、前記ネットーワークスイッチ装置に接続し、前記第２のサーバに構築される移送先仮想サーバを移送元の前記第１のサーバとして使用するためのサーバ移送処理を管理する管理サーバとを備えるサーバシステムにおけるサーバ移送方法であって、
前記管理サーバは、前記サーバ移送処理のときに、前記複数のポートに指定する設定情報を前記ネットワークスイッチ装置に送信するステップと、
送信された前記複数のポートの設定情報に基づいて、前記複数のポートの設定を変更するステップとを備え、
前記第２のサーバのサーバ仮想化機構は、前記複数の仮想サーバ間を接続可能な仮想ネットワークスイッチを有し、
前記仮想ネットワークスイッチは、前記第２のサーバ及び前記移送先仮想サーバの何れかに接続される複数の仮想ポートを有し、
前記サーバ移送処理のときに、前記複数の仮想ポートに指定する設定情報を前記仮想ネットワークスイッチに送信するステップと、
送信された前記複数の仮想ポートの設定情報に基づいて、前記複数のポートの設定を変更するステップとを含み、
前記管理サーバは、前記移送先仮想サーバの構築に必要な資源に対する要件を記憶する予約表を有し、
前記予約表を指定して前記移送先仮想サーバの構築を前記第２のサーバのサーバ仮想化機構部に要求するステップと、
指定された予約表に基づいて、前記サーバ移送処理中に前記移送先仮想サーバを構築するために必要な前記第２のサーバが有する資源を予約するステップとを含み、
前記第２のサーバのサーバ仮想化機構部は、前記移送先仮想サーバが有する仮想ネットワークインタフェースを介して物理ネットワークインタフェースに直接アクセス可能なアクセス機能を有し、
前記移送先仮想サーバに割り当て可能な物理ネットワークインタフェースの資源があるか否かを判定し、前記割り当て可能な物理ネットワークインタフェースの資源があるときに、前記アクセス機能により前記割り当て可能な物理ネットワークインタフェースを占有して予約するステップを含む
ことを特徴とするサーバシステムにおけるサーバ移送方法。
【請求項１２】
前記割り当て可能な物理ネットワークインタフェースの資源がないときに、仮想ネットワークインタフェースを予約するステップを含む
ことを特徴とする請求項１１に記載のサーバシステムにおけるサーバ移送方法。
【請求項１３】
複数の仮想サーバを構築可能なサーバ仮想化機構部を有する第１及び第２のサーバと、前記第１及び第２のサーバ間を接続し、前記第１及び第２のサーバの何れか一方に接続される複数のポートを有するネットワークスイッチ装置と、前記ネットーワークスイッチ装置に接続し、前記第２のサーバに構築される移送先仮想サーバを移送元の前記第１のサーバとして使用するためのサーバ移送処理を管理する管理サーバとを備えるサーバシステムにおけるサーバ移送方法であって、
前記管理サーバは、前記サーバ移送処理のときに、前記複数のポートに指定する設定情報を前記ネットワークスイッチ装置に送信するステップと、
送信された前記複数のポートの設定情報に基づいて、前記複数のポートの設定を変更するステップとを備え、
前記第２のサーバのサーバ仮想化機構は、前記複数の仮想サーバ間を接続可能な仮想ネットワークスイッチを有し、
前記仮想ネットワークスイッチは、前記第２のサーバ及び前記移送先仮想サーバの何れかに接続される複数の仮想ポートを有し、
前記サーバ移送処理のときに、前記複数の仮想ポートに指定する設定情報を前記仮想ネットワークスイッチに送信するステップと、
送信された前記複数の仮想ポートの設定情報に基づいて、前記複数のポートの設定を変更するステップとを含み、
前記ネットワークスイッチ装置と前記仮想ネットワークスイッチとの間の設定情報を有するスイッチ間設定ルールを有し、
前記スイッチ間設定ルールに基づいて、前記サーバ移送処理のときに、前記第２のサーバが接続する前記ポートに指定する設定情報と、前記仮想移送サーバが接続する前記仮想ポートに指定する設定情報とを決定するステップを含み、
前記第１のサーバのサーバ仮想化機構は、前記複数の仮想サーバ間を接続可能な第２の仮想ネットワークスイッチを有し、
前記第２の仮想ネットワークスイッチは、前記第１のサーバ又は前記仮想サーバの何れか一方に接続される複数の第２の仮想ポートを有し、
前記スイッチ間設定ルールは、前記ネットワークスイッチ装置と前記第２の仮想ネットワークスイッチとの間の設定に関する設定情報を有し、
前記スイッチ間設定ルールに基づいて、前記サーバ移送処理のときに、前記第１のサーバが接続する前記ポートに指定する設定情報と、前記第２の仮想移送サーバが接続する前記第２の仮想ポートに指定する設定情報とを決定するステップを含む
ことを特徴とするサーバシステムにおけるサーバ移送方法。